(57)【特許請求の範囲】
【請求項１】
工程１：凹み部を有する容器に熱収縮性筒状ラベルを外嵌する工程と、
工程２：前記容器の凹み部に対応する熱収縮性筒状ラベルの外面から治具を当てることにより、前記熱収縮性筒状ラベルを凹み部側へ押圧する工程と、
工程３：前記外嵌された熱収縮性筒状ラベル全体を加熱する工程と、
を有するラベル付き容器の製造方法であって、
前記工程２において、当てられた治具の周側面と凹み部の周側面との間に隙間を有しており、
工程４：前記熱収縮性筒状ラベルの、前記凹み部に対応する領域全体又は前記隙間に対応する領域に、熱収縮性筒状ラベルの外面からスチーム又は熱風を吹き付けることにより、前記隙間に存する熱収縮性筒状ラベルを集中的に加熱する工程、
を有することを特徴とするラベル付き容器の製造方法。
【請求項２】
前記工程４が、前記工程３を実施した後、又は、前記工程３と同時に実施される請求項１に記載のラベル付き容器の製造方法。
【発明の詳細な説明】
【技術分野】
【０００１】
本発明は、凹み部を有する容器の該凹み部に沿って熱収縮性筒状ラベルが装着されたラベル付き容器の製造方法に関する。
【背景技術】
【０００２】
従来、飲料容器、食品容器、化粧品容器などの様々な容器に、熱収縮性筒状ラベル（筒状シュリンク、シュリンクチューブなどとも呼ばれる）が装着されている。
かかる熱収縮性筒状ラベルは、これを容器に外嵌し、所定温度に加熱することにより、容器に装着される。
【０００３】
ところで、熱収縮性筒状ラベルが装着される容器は、様々な形状のものが存在する。一般的には、円筒状の胴部と、胴部の上方に連続して次第に小径に形成された肩部と、肩部の上方に設けられた注出部と、を有するボトル型容器（例えば、飲料用のＰＥＴボトルなど）が周知である。
また、例えば、容器の一部分が内側に凹んだ凹み部を有する容器も知られている。
このような凹み部が形成された容器は、該凹み部に指を嵌め入れることにより指を掛けることができるため、持ち運びし易い。従って、該容器は、比較的非力な使用者などを含め多くの使用者にとって使いやすい容器と言える。このような凹み部を有する容器は、ユニバーサルデザイン容器とも呼ばれる。
【０００４】
このような凹み部を有する容器に、熱収縮性筒状ラベルを外嵌し熱収縮装着すると、該熱収縮性筒状ラベルが凹み部に沿わず、容器の凹み部が熱収縮性筒状ラベルで覆われるという問題点がある。
このような問題点を解決するために、特許文献１及び２には、容器の凹み部に対応する熱収縮性筒状ラベルの一領域に治具を当て、前記熱収縮性筒状ラベルの一領域を凹み部側へ押圧した状態で加熱することが開示されている。
上記公報記載の方法によれば、容器の凹み部に対応した熱収縮性筒状ラベルの一領域を該凹み部側に凹ませて熱収縮装着できる。
【特許文献１】特開２００７−２１６９８４公報
【特許文献２】特開２００７−１７６５１５公報
【発明の開示】
【発明が解決しようとする課題】
【０００５】
しかしながら、上記公報記載の方法で熱収縮性筒状ラベルを装着した場合、凹み部の周側面に対応する熱収縮性筒状ラベルに、皺が生じるという問題点がある。
【０００６】
本発明の課題は、皺を生じさせることなく、熱収縮性筒状ラベルを容器の凹み部側に凹ませて熱収縮装着できるラベル付き容器の製造方法を提供することである。
【課題を解決するための手段】
【０００７】
本発明者らは、上記皺の発生について鋭意研究したところ、その原因は、凹み部の外面形状と略同形の治具を用いていることに起因することを見出した。すなわち、容器の凹み部は、最も内側へ凹んだ底面と、この底面から容器の基準面（容器の基準面とは、凹み部以外の容器外面をいう）に連設された周側面と、を有する。通常、凹み部の周側面は、次第に内側へ傾斜した傾斜面であるため、この周側面に、熱収縮性筒状ラベルが介在した状態で、治具が密着していると、凹み部の周側面に対応する熱収縮性筒状ラベルの領域に、熱が十分に作用しない。このため、上記皺が生じると考えられる。
【０００８】
そこで、本発明のラベル付き容器の製造方法は、凹み部を有する容器に熱収縮性筒状ラベルを外嵌する工程１と、前記容器の凹み部に対応する熱収縮性筒状ラベルの外面から治具を当てることにより、前記熱収縮性筒状ラベルを凹み部側へ押圧する工程２と、前記外嵌された熱収縮性筒状ラベル全体を加熱する工程３と、を有するラベル付き容器の製造方法であって、前記工程２において、当てられた治具の周側面と凹み部の周側面との間に隙間を有し、前記熱収縮性筒状ラベルの前記凹み部に対応する領域全体又は前記隙間に対応する領域に、熱収縮性筒状ラベルの外面からスチーム又は熱風を吹き付けることにより、前記隙間に存する熱収縮性筒状ラベルを集中的に加熱する工程４と、を有することを特徴とする。
【０００９】
上記本発明のラベル付き容器の製造方法は、治具を当てた際に、治具の周側面と凹み部の周側面との間に隙間が形成されている。このため、工程４において、前記隙間に存する熱収縮性筒状ラベルを集中的に加熱することにより、その熱収縮性筒状ラベルの領域に熱を十分に作用させることができる。前記領域に熱が十分に作用することによって、容器の凹み部の周側面に対応する熱収縮性筒状ラベルの収縮が規制されず、皺が生じ難くなる。従って、熱収縮性筒状ラベルを容器の凹み部側に綺麗に凹ませたラベル付き容器を製造できる。
【００１０】
本発明の好ましいラベル付き容器の製造方法は、前記工程４が、前記工程３を実施した後、又は、前記工程３と同時に実施される。前記工程４が、工程３の実施後、又は、工程３と同時に実施されることにより、容器の凹み部の周側面に対応する熱収縮性筒状ラベルに、皺が生じ難くなる。
【００１１】
また、本発明のラベル付き容器は、上記製造方法を行うことによって得られたラベル付き容器であって、一部分が内側に凹んだ凹み部を有する容器と、この容器に熱収縮装着された熱収縮性筒状ラベルと、を備え、前記熱収縮性筒状ラベルの一部分が、前記容器の凹み部の周側面との間に間隙を有した状態で、前記容器の凹み部側に凹んで装着されていることを特徴とする。
この容器内に充填される充填物は、特に限定されないが、例えば、洗浄剤、柔軟剤、化粧品、薬品、又は食品が挙げられる。
【００１２】
本発明のラベル付き容器は、前記熱収縮性筒状ラベルの一部分が、容器の凹み部の周側面との間に間隙を有した状態で、前記容器の凹み部側に凹んで装着されているので、熱収縮性筒状ラベルに実質的に皺が生じておらず、外観上美麗である。
【発明の効果】
【００１３】
本発明に係るラベル付き容器の製造方法によれば、熱収縮性筒状ラベルを容器の凹み部側に凹ました状態で、熱収縮性筒状ラベルに実質的に皺が生じることなく、これを綺麗に装着することができる。
また、本発明の製造方法によって得られるラベル付き容器は、外観上美麗であると共に、凹み部に指を掛けて確実に持つことができる。
【発明を実施するための最良の形態】
【００１４】
以下、本発明について、図面を参照しつつ具体的に説明する。
（ラベル付き容器の構成）
図１及び図２に於いて、１は、凹み部４を有する容器２と、該容器２に熱収縮装着された熱収縮性筒状ラベル３と、を備えるラベル付き容器を示す。
該ラベル付き容器１は、熱収縮性筒状ラベル３が容器２の凹み部４を含んで熱収縮装着されており、熱収縮性筒状ラベル３は、その一領域が容器２の凹み部４側に凹んだ状態で装着されている。
【００１５】
具体的には、上記ラベル付き容器１に用いられる容器２は、胴部２１と、胴部に連設された肩部２２と、肩部２２の上方に設けられたキャップ部２３と、を有する。
容器２の胴部２１の一部分には、内側へ凹んだ部分（凹み部４）が形成されている。容器２の凹み部４は、最も内側へ凹んだ底面４１と、該底面４１から容器２の基準面（凹み部４以外の胴部２１の外面）に連設された周側面４２と、を有する。容器２の基準面に連設した周側面４２は、基準面から次第に内側へ傾斜した傾斜面とされており、前記周側面４２の下端部に連設した底面４１は、略平坦状とされている。容器２の凹み部４の正面視形状は、例えば、略矩形状に形成されている。なお、凹み部４の周側面４２は、凹み部４の底面４１を基準にして、容器２の周方向及び縦方向の何れの側にも形成されている。つまり、凹み部４１は、底面４１の周囲全体に、周側面４２を有している。もっとも、凹み部４は、底面４１の周囲の一部分に周側面を有しない形状でもよい。また、凹み部４は、胴部２１の両面にそれぞれ形成されている。
凹み部４の深さ（凹み部４の底面４１と容器２の基準面の間の長さ）は、特に限定されないが、通常、３ｍｍ以上であり、好ましくは５ｍｍ以上、より好ましくは１０ｍｍ以上である。凹み部４の深さが余りに浅いと、凹み部４に指を掛け難くなるからである。凹み部４の深さの上限は、容器２の大きさによって異なるものの、２０ｍｍ以下が好ましい。
【００１６】
なお、容器２の全体形状は、凹み部４が少なくとも１箇所形成されているものであれば特に限定されず、様々な形状に変更可能である。また、容器２の凹み部４の正面視形状についても上記のように略矩形状に限られず、正面視略円形状、同ハート形状、同三角形状、同略Ｓ字状、その他任意の形状に変更可能である。
さらに、容器２の材質は特に限定されず、例えば、ポリエチレンテレフタレートなどのポリエステル系、ポリエチレン系、ポリプロピレン系などの熱可塑性樹脂、金属、ガラス、陶器など、従来公知の材質である。
また、容器２の内部に充填される充填物は、特に限定されず、洗浄剤、柔軟剤、化粧品、薬品、食品、飲料などの液体又は粉体などが挙げられる。
【００１７】
本発明のラベル付き容器１は、容器２の凹み部４に対応する熱収縮性筒状ラベル３の一領域５（以下、この部分を「凹み部対応領域」という）が、容器２の凹み部４の周側面４２との間に間隙を有した状態で、容器２の凹み部４側に凹んで装着されていればよい。
具体的には、熱収縮性筒状ラベル３の凹み部対応領域５の一部は、凹み部４の底面４１に沿って密着しているが、凹み部対応領域５の残る部分は、凹み部４の周側面４２においては僅かに離れた状態（間隙を有した状態）となっている。
該凹み部対応領域５は、（実質的に皺が生じておらず）その外面全体がなだらかな形状になっている。
【００１８】
上記熱収縮性筒状ラベル３の凹み部対応領域５の一部は、接着剤６を介して容器２の凹み部４の底面４１に接着されている。接着剤６は、熱収縮性筒状ラベル３の少なくとも凹み部対応領域５の内面に塗工されている。熱収縮性筒状ラベル３の凹み部対応領域５を容器２の凹み部４の底面４１に押さえ付けることにより、前記凹み部対応領域５の一部が、接着剤６を介して凹み部４の底面４１に接着されている。この接着剤６による接着面積は、容器２の凹み部４の大きさなどに応じて適宜設定されるが、凹み部対応領域５が容器２から剥がれ難くするためには、前記接着面積は広い方が好ましい。例えば、前記接着面積は、好ましくは１５０ｍｍ２以上であり、より好ましくは１７５ｍｍ２以上である。
前記接着剤６としては、感熱接着剤が好ましいが、溶剤型接着剤などの非感熱接着剤を用いることもできる。
前記感熱接着剤は、加熱よって接着性を発揮する接着剤（接着剤とは、一般に粘着剤と言われているものも含む）であり、例えば、ホットメルト型接着剤、パートコート型感熱接着剤、ディレードタック型感熱接着剤などを用いることができる。
このように熱収縮性筒状ラベル３の凹み部対応領域５が、接着剤６を介して接着されていることにより、ラベル付き容器１の流通時などに熱収縮性筒状ラベル３が変形しても、凹み部対応領域５が容器２の凹み部４から浮き上がることを防止できる。
【００１９】
なお、上記熱収縮性筒状ラベル３の外面のうち、少なくとも凹み部対応領域５の外面に、防滑処理を施したり、或いは、エンボス加工を施してもよい。かかる防滑処理及び／又は／エンボス加工を施すことにより、熱収縮性筒状ラベル３の凹み部対応領域５の外面から凹み部４を持った際、指と熱収縮性筒状ラベル３の間の摩擦力が大きくなって指が滑り難くなるので好ましい。
【００２０】
次に、上記ラベル付き容器１に用いられる熱収縮性筒状ラベル３は、熱収縮性のフィルムを筒状に成形した筒状体からなる。
熱収縮性筒状ラベル３は、例えば、熱収縮性のフィルムを筒状にしてその両側端部を重ね合わせ、該重ね合わせ部分を溶剤又は接着剤などで接着（センターシール）することによって筒状に形成されている。
【００２１】
熱収縮性のフィルムは、少なくとも幅方向（筒状に形成した際に於ける周方向。以下同じ）に熱収縮性を有するものであればその材質は特に限定されず、例えば、ポリエチレンテレフタレート、ポリ乳酸などのポリエステル系樹脂、ポリプロピレンなどのオレフィン系樹脂、ポリスチレン、スチレン−ブタジエン共重合体などのスチレン系樹脂、環状オレフィン系樹脂、塩化ビニル系樹脂などの熱可塑性樹脂から選ばれる１種、又は２種以上の混合物などからなる合成樹脂製フィルムなどを用いることができる。また、熱収縮性を有する２種以上の合成樹脂製フィルムが積層された積層フィルムを用いることもできる。さらに、熱収縮性を有するフィルムに発泡樹脂シート等の断熱層やその他の機能層が積層された公知の積層フィルムを用いることもできる。
【００２２】
熱収縮性のフィルムの厚みは、特に限定されないが、通常、２０〜８０μｍ程度のものが用いられる。
熱収縮性のフィルムの熱収縮率としては、熱収縮により容器に密着可能であれば特に限定されないが、通常、幅方向に於ける熱収縮率（９０℃温水中に１０秒間浸漬）が約４０％以上、好ましくは約５０％以上が例示される。また、該フィルムは縦方向（前記幅方向と直交する方向）に若干熱収縮してもよく、かかる縦方向に於ける熱収縮率（９０℃温水中に１０秒間浸漬）は、約−３〜１５％程度が例示される。
但し、熱収縮率（％）＝［｛（幅方向（又は縦方向）の元の長さ）−（幅方向（又は縦方向）の浸漬後の長さ）｝／（幅方向（又は縦方向）の元の長さ）］×１００。
【００２３】
尚、熱収縮性筒状ラベル３には、例えば商品名、商標、絵柄デザインなどの公知の意匠印刷がグラビア印刷などによって単色又は多色刷りにて印刷されているが、該意匠印刷は図示しない。
また、熱収縮性筒状ラベル３には、分断用のミシン目などの公知の手段を適宜施してもよい。
【００２４】
さらに、図１に示したラベル付き容器１は、正面視略矩形状の凹み部４が形成された容器２に熱収縮性筒状ラベル３が装着されているが、例えば、図３に示すように、正面視略湾曲矩形状の凹み部４が形成された容器２に熱収縮性筒状ラベル３が装着されていてもよい。かかる容器２に装着された熱収縮性筒状ラベル３も、上記実施形態と同様に、凹み部対応領域５が、容器２の凹み部４の周側面４２との間に間隙を有した状態で、容器２の凹み部４側に凹んで装着される。
【００２５】
次に、上記ラベル付き容器１の製造方法について説明する。
（前工程）
少なくとも凹み部対応領域５の内面に感熱接着剤６が塗工された熱収縮性筒状ラベル３を準備する。通常、該熱収縮性筒状ラベル３は、複数連続的に繋がった長尺状のラベル連続体の態様で提供される。なお、感熱接着剤６が塗工されていない熱収縮性筒状ラベル３を用いることもでき、この場合には、容器２の凹み部４に感熱接着剤が塗工される。
この熱収縮性筒状ラベル３の周方向長さは、容器２の胴部２１に外嵌できる大きさであうが、熱収縮性筒状ラベル３を容器２の凹み部４に沿って凹ませる分を考慮して、熱収縮性筒状ラベル３の周方向長さは、通常よりも若干大きく形成される。
また、熱収縮性筒状ラベル３の容器２への装着は、通常、ラベラー（ラベル装着装置）を用いて実施される。
【００２６】
（工程１）
該ラベル連続体を所定長さに切断し、１個の熱収縮性筒状ラベル３を得た後、該熱収縮性筒状ラベル３の凹み部対応領域５が容器２の凹み部４に適合するように位置合わせしながら、熱収縮性筒状ラベル３を容器２の胴部２１の下端から肩部２２にかけて外嵌する。
【００２７】
（工程２）
続いて、図４〜図６に示すように、熱収縮性筒状ラベル３の凹み部対応領域５の外面から、治具８を押し当て、凹み部対応領域５を容器２の凹み部４側へと押圧する。該治具８の押圧によって、熱収縮性筒状ラベル３の凹み部対応領域５が、容器２の凹み部４の外面に接する。
具体的には、この治具８は、例えば、図７にも示すように、押圧部８１と、押圧部８１を支持する支持棒８２と、を有する。支持棒８２は、ラベラーの搬送ベルトの駆動源に接続されている。
押圧部８１の正面視形状（押圧面８４の形状）は、容器２の凹み部４の正面視形状と相似形であり、且つ凹み部４の正面視形状よりも小さく形成されている。
押圧部８１は、押圧面８４と周側面８３とを有する比較的薄い板状体で形成されている。薄い板状体からなる押圧部８１を用いることにより、熱媒体（スチームや熱風など）が対流し易くなるので好ましい。前記押圧部８１の肉厚は、好ましくは２ｍｍ〜２０ｍｍであり、より好ましくは５ｍｍ〜１５ｍｍである。
押圧部８１の材質としては、例えば、耐熱性のある樹脂又はゴム、ステンレスなどの金属などが挙げられる。
【００２８】
また、治具８の押圧部８１の面内には、複数箇所の貫通孔８５が形成されている。かかる貫通孔８５が形成されていることにより、治具８の押圧部８１によって押さえられた熱収縮性筒状ラベル３の凹み部対応領域５にも、熱を良好に作用させることができる。従って、該凹み部対応領域５を良好に熱収縮させると同時に、感熱接着剤６の接着性を発揮させることができる。
上記貫通孔８５の開口面積（１つ当たり）は、特に限定されないが、好ましくは１ｍｍ２〜１００ｍｍ２であり、より好ましくは１ｍｍ２〜３０ｍｍ２である。
【００２９】
凹み部４の正面視形状に対して小さな相似形の上記押圧部８１を凹み部４に当てると、押圧部８１の周側面８３と凹み部４の周側面４２との間に隙間７が生じ得る。
前記隙間７とは、図６に示すように、押圧部８１の周側面８３の下端部８３ａと凹み部４の周側面４２の下端部４２ａ（凹み部４の周側面４２の下端部４２ａとは、周側面４２と底面４１の境界部に相当する）の間を意味する。
前記隙間７の大きさは、特に限定されないが、好ましくは、３ｍｍ〜３０ｍｍであり、より好ましくは、４ｍｍ〜１８ｍｍである。前記隙間７が３ｍｍ未満であると、隙間７に存する熱収縮性筒状ラベル３の領域に熱が十分に作用せず、熱収縮性筒状ラベル３に皺が生じる虞がある。一方、前記隙間７が３０ｍｍを超えると、治具８によって押さえられる領域が狭くなり過ぎる上、前記隙間７に存する熱収縮性筒状ラベル３に熱が加わりすぎて、熱収縮性筒状ラベル３が破れる虞がある。なお、前記隙間７の大きさは、凹み部４の形状及び大きさに応じて、治具８の押圧部８１の形状を設計することによって調整できる。
特に、押圧部８１の周側面８３の上下と凹み部４の周側面４２の上下との間に、３ｍｍ〜３０ｍｍの隙間７を有することにより、凹み部４の上下において、熱収縮性筒状ラベル３に皺が生じることを効果的に防止できる。
【００３０】
また、押圧部８１の周側面８３は、押圧面８４に対して略直角状とされている。押圧部８１の周側面８３が押圧面８４に対して略直角状に形成されていることにより、前記隙間７にスチームや熱風が入り込み易くなり、隙間７に存する熱収縮性筒状ラベル３の領域に熱が十分に作用させることができる。
特に、押圧部８１の周側面８３は、押圧面８４に対して鋭角状とされていることが好ましい。図８に、押圧面８４に対して周側面８３が鋭角状に形成された治具８を、熱収縮性筒状ラベル３の凹み部対応領域５に押圧した状態を示す。このように周側面８３が押圧面８４に対して鋭角状とされていることにより、前記隙間７にスチームや熱風がさらに入り込み易くなるので好ましい。
【００３１】
（工程３）
上記熱収縮性筒状ラベル３の凹み部対応領域５を治具８にて押圧した状態で、容器２を加熱ゾーンへと送る。加熱ゾーンでは、外嵌した熱収縮性筒状ラベル３の全体を所定温度（ラベルの熱収縮温度）に加熱する。加熱方法は、従来と同様に、スチーム（８０〜１００℃）や熱風（例えば、１２０〜２５０℃）の吹き付けなどで行うことができる。上記のように、治具８の押圧部８１には、貫通孔８５が形成されているので、熱風などが熱収縮性筒状ラベル３の凹み部対応領域５に作用し、これを加熱することができる。
本工程に於いて、熱収縮性筒状ラベル３は、容器２の外形状（基準面）にほぼ沿って熱収縮する。なお、熱収縮性筒状ラベル３の凹み部対応領域５も若干熱収縮するが、この部分５は治具８で押圧されているので、凹み部４の底面４１にぼ沿った状態が維持される。
また、加熱時、凹み部対応領域５の内面に設けられた感熱接着剤６が活性化し、容器２の凹み部４の底面４１に接着する。
【００３２】
（工程４）
工程３を実施した後、さらに、押圧部８１の周側面８３と凹み部４の周側面４２との間の隙間７を集中的に加熱する。すなわち、前記隙間７に存する熱収縮性筒状ラベル３の領域を集中的に加熱して、前記隙間７に存する熱収縮性筒状ラベル３の領域に、別途、熱を作用させる。かかる集中的な加熱によって、隙間７に存する熱収縮性筒状ラベル３の領域に熱が十分に作用する。このため、凹み部４の周側面４２に対応する熱収縮性筒状ラベル３の領域の収縮が規制されず、この領域に皺が発生することを防止できる。
【００３３】
なお、隙間７の加熱方法は、上記と同様に、スチームや熱風の吹き付けなどが挙げられる。該スチームなどを、熱収縮性筒状ラベル３の外面から、凹み部４に対応した凹み部対応領域５の全体に、又は、前記隙間７に部分的に吹き付けることにより、隙間７に存する熱収縮性筒状ラベル３の領域を集中的に加熱することができる。
【００３４】
なお、工程４は、工程３を実施する前に実施してもよいし、工程３と同時に実施してもよい。もっとも、皺の発生防止に特に効果的であることから、工程４は、工程３と同時に実施するか、又は、工程３を実施した後に実施することが好ましく、特に、工程４は、上記のように工程３を実施した後に実施することがより好ましい。
工程３と工程４を同時に実施する場合には、例えば、加熱方法としてスチームを用いることが好ましい。具体的には、工程３と工程４を同時に実施する場合には、熱収縮性筒状ラベル３が外嵌され且つ治具８で押圧された容器２をスチームトンネルに導き、熱収縮性筒状ラベル３の外面から凹み部対応領域５全体に、スチームを吹き付ける。かかるスチームの吹き付けによって、上記隙間７に存する熱収縮性筒状ラベル３の領域を集中的に加熱することができると同時に、スチームトンネル内に満たされたスチームによって熱収縮性筒状ラベル３の全体を加熱することができる。
【００３５】
（工程５）
続いて、凹み部対応領域５を治具８にて押圧したままで、容器２を冷却ゾーンへと送る。冷却ゾーンでは、熱収縮性筒状ラベル３及び治具８を室温まで冷却する。冷却は、自然冷却でもよいが、時間短縮のため、冷風などを吹き付けて強制的に温度を下げることが好ましい。
熱収縮性筒状ラベル３が、概ね室温にまで冷えた後、治具８を外すことにより、熱収縮性筒状ラベル３が容器２の凹み部４にほぼ沿い且つ皺が生じることなく綺麗に装着されたラベル付き容器１を得ることができる。
【実施例】
【００３６】
以下、実施例及び比較例を示し、本発明を更に詳述する。ただし、本発明は、下記実施例に限定されるものではない。
【００３７】
（使用した容器）
厚み１ｍｍのポリエチレンテレフタレートシートをシート成形後に接合して、容器を作製した。この容器の胴部の両面には、同一形状の凹み部がそれぞれ形成されている。この容器の凹み部は、深さ１０ｍｍ、直径５０ｍｍの円形状（正面視形状）である。
（使用した熱収縮性筒状ラベル）
面内の一方向に熱収縮しうるフィルム（グンゼ社製、製品名「ＨＧＳ」。厚み４５μｍのポリエチレンテレフタレート／ポリスチレンの積層フィルム）の内面に、厚み２μｍの白ベタ印刷層をグラビア印刷した。また、このフィルムの内面であって、凹み部対応領域に、感熱接着剤を塗工した。このフィルムの両側端部を重ね合わせて接着することにより、熱収縮性筒状ラベルを形成した。
【００３８】
［実施例１］
上記容器の凹み部に上記熱収縮性筒状ラベルの凹み部対応領域が対応するように、熱収縮性筒状ラベルを容器に外嵌した。
次に、厚み５ｍｍ、直径４０ｍｍの真鍮製の押圧部を有する治具（ただし、押圧部の面内には、直径５ｍｍの貫通孔（開口面積約２０ｍｍ２）が８個略均等に形成されている）を、熱収縮性筒状ラベルの凹み部対応領域の外面から押し当てた。なお、治具の押圧部の周側面と凹み部の周側面の間（隙間）は、約５ｍｍである。また、治具の押圧部による押圧面積（感熱接着剤による接着面積）は、１２５６ｍｍ２である。
この治具を押圧した状態の容器を、次の２種類の加熱方法で加熱し、熱収縮性筒状ラベルを熱収縮させ、ラベル付き容器を作製した。
（１）全体及び隙間を同時に加熱する方法：
両壁面にスチーム吹き出し口が具備されたスチームトンネルの該スチーム吹き出し口に、容器の凹み面が対面するように位置合わせして、スチームトンネル内に治具押圧状態の容器を配置し、その熱収縮性筒状ラベルの凹み対応領域の外面に、前記スチーム吹き出し口から９０℃のスチームを５秒間吹き付けた。
（２）全体及び隙間を別個に加熱する方法：
治具押圧状態の容器を回転させながら、容器の全体に１２０℃の熱風を３秒間吹き付けた後、更に、治具押圧状態の容器を固定し、その熱収縮性筒状ラベルの凹み対応領域の外面に、１５０℃の熱風を２秒間吹き付けた。
【００３９】
［実施例２］
実施例１の治具に代えて、下記の治具を用いたこと以外は、実施例１と同様にして、熱収縮性筒状ラベルを容器に外嵌し、２種類の加熱方法でそれぞれ熱収縮させ、ラベル付き容器を作製した。
実施例２で用いた治具は、厚み５ｍｍ、直径３０ｍｍの真鍮製の円形状の押圧部を有する（ただし、押圧部の面内には、直径５ｍｍの貫通孔（開口面積約２０ｍｍ２）が５個略均等に形成されている）。なお、治具の押圧部の周側面と凹み部の周側面の間（隙間）は、約１０ｍｍである。また、治具の押圧部による押圧面積（感熱接着剤による接着面積）は、７０７ｍｍ２である。
【００４０】
［実施例３］
実施例１の治具に代えて、下記の治具を用いたこと以外は、実施例１と同様にして、熱収縮性筒状ラベルを容器に外嵌し、２種類の加熱方法でそれぞれ熱収縮させ、ラベル付き容器を作製した。
実施例３で用いた治具は、厚み５ｍｍ、直径２０ｍｍの真鍮製の円形状の押圧部を有する（ただし、押圧部には、貫通孔が形成されていない）。なお、治具の押圧部の周側面と凹み部の周側面の間（隙間）は、約１５ｍｍである。また、治具の押圧部による押圧面積（感熱接着剤による接着面積）は、３１４ｍｍ２である。
【００４１】
［実施例４］
実施例１の治具に代えて、下記の治具を用いたこと以外は、実施例１と同様にして、熱収縮性筒状ラベルを容器に外嵌し、２種類の加熱方法でそれぞれ熱収縮させ、ラベル付き容器を作製した。
実施例４で用いた治具は、厚み５ｍｍ、直径１５ｍｍの真鍮製の円形状の押圧部を有する（ただし、押圧部には、貫通孔が形成されていない）。なお、治具の押圧部の周側面と凹み部の周側面の間（隙間）は、約１７．５ｍｍである。また、治具の押圧部による押圧面積（感熱接着剤による接着面積）は、１７７ｍｍ２である。
【００４２】
［実施例５］
実施例１の治具に代えて、下記の治具を用いたこと以外は、実施例１と同様にして、熱収縮性筒状ラベルを容器に外嵌し、２種類の加熱方法でそれぞれ熱収縮させ、ラベル付き容器を作製した。
実施例５で用いた治具は、厚み５ｍｍ、直径１０ｍｍの真鍮製の円形状の押圧部を有する（ただし、押圧部には、貫通孔が形成されていない）。なお、治具の押圧部の周側面と凹み部の周側面の間（隙間）は、約２０ｍｍである。また、治具の押圧部による押圧面積（感熱接着剤による接着面積）は、７９ｍｍ２である。
【００４３】
［比較例］
実施例１の治具に代えて、下記の治具を用いたこと以外は、実施例１と同様にして、熱収縮性筒状ラベルを容器に外嵌し、２種類の加熱方法でそれぞれ熱収縮させ、ラベル付き容器を作製した。
比較例で用いた治具は、厚み５ｍｍ、直径５０ｍｍの真鍮製の円形状の押圧部を有する（ただし、押圧部の面内には、直径５ｍｍの貫通孔（開口面積約２０ｍｍ２）が８個略均等に形成されている）。なお、治具の押圧部の周側面と凹み部の周側面の間（隙間）は、約０ｍｍである。また、治具の押圧部による押圧面積（感熱接着剤による接着面積）は、１９６３ｍｍ２である。
【００４４】
実施例１〜５のラベル付き容器の外観を観察したところ、熱収縮性筒状ラベルに皺が生じておらず、凹み部側へ良好に凹んでいた。一方、比較例のラベル付き容器の外観を観察したところ、凹み部の周側面の近辺で、熱収縮性筒状ラベルに皺が生じていた。
なお、実施例５のラベル付き容器は、熱収縮性筒状ラベルが容器の凹み部の底面に対する接着が不十分であり、僅かに浮き上がっていた。
【図面の簡単な説明】
【００４５】
【図１】本発明のラベル付き容器の一実施形態を示す正面図。
【図２】図１のＩ−Ｉ線断面図。
【図３】本発明のラベル付き容器の他の実施形態を示す正面図。
【図４】本発明のラベル付き容器の製造方法に於いて、外嵌した熱収縮性筒状ラベルに治具を押圧した状態を示す正面図。
【図５】図４のＩＩ−ＩＩ線断面図。
【図６】図５の一部分を拡大した要部拡大断面図。
【図７】治具の一実施形態を示す一部省略斜視図。
【図８】他の実施形態の治具を、外嵌した熱収縮性筒状ラベルに押圧した状態を示す要部拡大断面図。
【符号の説明】
【００４６】
１…ラベル付き容器、２…容器、３…熱収縮性筒状ラベル、４…容器の凹み部、４１…凹み部の底面、４２…凹み部の周側面、５…容器の凹み部に対応する熱収縮性筒状ラベルの一領域（凹み部対応領域）、６…接着剤、７…隙間、８…治具、８１…治具の押圧部、８３…押圧部の周側面
【図１】
0005224909.tif 000002
【図２】
0005224909.tif 000003
【図３】
0005224909.tif 000004
【図４】
0005224909.tif 000005
【図５】
0005224909.tif 000006
【図６】
0005224909.tif 000007
【図７】
0005224909.tif 000008
【図８】
0005224909.tif 000009